(57)【特許請求の範囲】
【請求項１】
移動体に搭載されるデジタル放送受信装置において、受信用チューナ手段と、複数の異なる放送エリアにそれぞれ対応した複数のチャンネルリストを格納するチャンネルリスト記憶手段と、移動体が向かう地域を設定する地域設定手段と、前記地域設定手段からの予め経路設定された情報に基づき移動体の移動する地域に応じて、前記チャンネルリスト記憶手段に格納されたチャンネルリストの読み出し順序を設定するチャンネルリスト更新手段と、受信状態を監視する受信状態監視手段と、前記受信状態監視手段による受信状態が困難と判断されると、設定された読み出し順序に基づきチャンネルリストを切り替え、切り替えたチャンネルリストの周波数チャンネルで選局する選局制御手段と、を備えたことを特徴とするデジタル放送受信装置。
【請求項２】
移動体に搭載されるデジタル放送受信装置において、受信用チューナ手段と、複数の異なる放送エリアにそれぞれ対応した複数のチャンネルリストを格納するチャンネルリスト記憶手段と、移動体が向かう地域を設定する地域設定手段と、前記地域設定手段からの情報に基づき移動体の移動する地域を判別し、前記チャンネルリスト記憶手段に格納されたチャンネルリストの読み出し順序を設定するチャンネルリスト更新手段と、受信状態を監視する受信状態監視手段と、前記受信状態監視手段による受信状態が困難と判断されると、設定された読み出し順序に基づきチャンネルリストを切り替え、切り替えたチャンネルリストの周波数チャンネルで選局する選局制御手段と、
正常受信状態の放送局の事業者系列番号を取得する手段と、前記受信状態監視手段による受信状態が困難と判断されると、前記チャンネルリスト記憶手段に格納された複数のチャンネルリストから設定された読み出し順序に基づき切り替えられたチャンネルリストから正常受信状態の放送局の事業者系列番号と同じ事業者系列番号の放送局を選択する手段と、を有し、前記選局制御手段は選択した放送局の周波数チャンネルで選局することを特徴とするデジタル放送受信装置。
【請求項３】
各地域の放送局に対応したチャンネルリストが格納された地域対象放送局情報記憶手段を備え、前記チャンネルリスト記憶手段に格納された複数のチャンネルリストに正常受信状態の放送局の事業者系列番号が無い場合に、１３チャンネルから６２チャンネルの物理
チャンネルのチャンネルサーチを行い、現時点で受信可能なチャンネルを検出し、新たなチャンネルリストを作成する手段と、前記作成されたチャンネルリストから正常受信状態の放送局の事業者系列番号と同じ事業者系列番号の放送局を選択する手段と、を有し、前記選局制御手段は選択した放送局の周波数チャンネルで選局することを特徴とする請求項２に記載のデジタル放送受信装置。
【請求項４】
各地域の放送局に対応したチャンネルリストが格納された地域対象放送局情報記憶手段を備え、前記チャンネルリスト記憶手段に格納された複数のチャンネルリストに正常受信状態の放送局の事業者系列番号が無い場合に、地域対象放送局情報記憶手段に格納されたチャンネルリストから正常受信状態の放送局の事業者系列番号と同じ事業者系列番号の放送局を選択する手段を有し、前記選局制御手段は選択した放送局の周波数チャンネルで選局することを特徴とする請求項２に記載のデジタル放送受信装置。
【請求項５】
移動体に搭載されるデジタル放送受信装置において、受信用チューナ手段と、複数の異なる放送エリアにそれぞれ対応した複数のチャンネルリストを格納するチャンネルリスト記憶手段と、移動体が向かう地域を設定する地域設定手段と、前記地域設定手段からの情報に基づき移動体の移動する地域を判別し、前記チャンネルリスト記憶手段に格納されたチャンネルリストの読み出し順序を設定するチャンネルリスト更新手段と、受信状態を監視する受信状態監視手段と、前記受信状態監視手段による受信状態が困難と判断されると、設定された読み出し順序に基づきチャンネルリストを切り替え、切り替えたチャンネルリストの周波数チャンネルで選局する選局制御手段と、
現在の位置を判別する位置判別手段及び移動体が向かう地域を判別する地域判別手段を備えたナビゲーション手段と、を有し、このナビゲーション手段において設定されている目的地までの誘導経路に従い、前記チャンネルリスト更新手段は、前記チャンネルリスト記憶手段に格納されたチャンネルリストの読み出し順序を設定することを特徴とするデジタル放送受信装置。
【請求項６】
前記ナビゲーション手段の位置判別手段により、放送エリアの変更の有無を検出する手段を有し、放送エリアの変更があると前記チャンネルリスト更新手段は、前記チャンネルリスト記憶手段に格納されたチャンネルリストの読み出し順序を現在位置に基づき変更することを特徴とする請求項５に記載のデジタル放送受信装置。
【発明の詳細な説明】
【技術分野】
【０００１】
この発明は、デジタル放送受信装置に関し、特に、車載用や携帯端末など移動体に搭載されるデジタル放送受信装置に用いて好適な装置に関するものである。
【背景技術】
【０００２】
デジタル放送は、ＵＨＦ（Ｕｌｔｒａ−Ｈｉｇｈ  Ｆｒｅｑｕｅｎｃｙ）帯を用い、その物理チャンネルは、１３チャンネルから６２チャンネルまでとなる。地上デジタル放送を放送する放送局は放送エリア毎に異なり、使用されている電波の周波数帯域及び物理チャンネルも異なる。
【０００３】
そこで、地上デジタル放送を受信する場合には、まず最初に地域設定するかもしくは周波数（物理チャンネル）を全局スキャンする必要がある。なぜならば、初期状態の受信装置においては、現在の受信環境で受信できる放送波が不明であるからである。従って、これを知るために現在の地域を設定するか、もしくは物理チャンネルを全局スキャンして受信できる放送波チャンネルリストを設定するためのチャンネルスキャンが行われる。
【０００４】
これら２つのチャンネルリスト設定には、以下に示すようにそれぞれ欠点がある。
【０００５】
まず、地域設定をする場合であるが、予めメーカーで各地域毎に代表的な放送局の周波数をプリセット値として登録して出荷し、ユーザーが地域をセットする事によって受信装置にプリセット値を読み込ませチャンネルリストを設定する。
【０００６】
この方法では代表的な放送局の周波数をプリセットするために、実際に受信装置が設置されている受信環境で必ず受信できるという保証は無い。また、県境等においては視聴上良好な隣の県の放送局の周波数も除外される場合が多い。ただし、この方法においては、記憶されているプリセット値を読み出すだけであるので、受信装置の設定を早く済ませることができる。
【０００７】
一方、周波数（物理チャンネル）を全局スキャンする方法では、上記とは逆に、全周波数（物理チャンネル）をスキャンするため設定に要する時間はかかるが、確実に受信できる放送波を知ることができる。
【０００８】
家庭の固定型の受信装置では受信環境が大きく変化しないため、一旦、上記の設定を行えば以降再度設定する必要は殆ど無い。しかしながら、移動体に搭載される受信装置では、受信環境が刻々と変化するため、放送エリアを越えて移動した場合、受信ができなくなる。このため、受信可能なチャンネルリストを得るために、チャンネルリストを更新する必要がある。
【０００９】
チャンネルリストを自動で切り替える放送受信装置として、放送受信装置が複数の異なる放送エリアにそれぞれ対応する複数のチャンネルリストを予め備え、放送受信装置が放送エリアを越えて移動した場合、予め備えている複数のチャンネルリストを自動的に切り替えて選局することにより、ユーザがチャンネルリストを切り替えて選局するという手間を省くことができる装置が提案されている。そして、さらに、テレビ再生中の放送波を異常受信した場合、切り替え選局処理を行い、選局されたチャンネルに含まれる番組情報のうち、異常受信と判定されたチャンネルの番組情報又は事業者系列番号と一致するチャンネルがあれば、そのチャンネルで選局することにより、テレビ再生中に放送受信装置が放送エリアを越えて移動した場合でも、移動先の放送エリアにおいて同一番組のテレビ再生を継続するようにしているものが知られている（例えば、特許文献1参照）。
【特許文献１】特開２００６−１０９３３７号公報
【発明の開示】
【発明が解決しようとする課題】
【００１０】
上記した特許文献1に記載の装置によれば、放送エリアを越えて移動した場合、予め備えている複数のチャンネルリストを自動的に切り替えて選局してテレビ再生を行うことができる。しかしながら、上記した特許文献1の記載の装置においては、移動体が移動する経路を考慮しておらず、チャンネルリストを切り替える際に、移動体が移動している方向とは異なる位置の放送エリアのチャンネルリストに切り替える場合がある。このような場合には、選局が上手く行えず、チャンネルリストの切り替えを何度も行う必要が生じ、チャンネル設定に時間を多く費やしたり、チャンネルサーチをやり直す必要ある等の問題がある。
【００１１】
また、放送エリアが変わるとリモコン番号及び３桁番号が変わり、同一系列の放送局でおいてもリモコン番号及び３桁番号が変わる場合がある。このため、放送エリアが変わった場合、ユーザが入力したリモコン番号または３桁番号に対応する物理チャンネルを選局すると、系列局が異なる場合があり、移動先の放送エリアにおいて同一番組のテレビ再生を継続して視聴できなくなることがある。
【００１２】
この発明は、この先移動体が向かうと予想される地域を考慮して、受信装置の放送局の設定を可能にするデジタル放送受信装置を提供することを目的とする。
【課題を解決するための手段】
【００１３】
この発明のデジタル放送受信装置は、移動体に搭載されるデジタル放送受信装置において、受信用チューナ手段と、複数の異なる放送エリアにそれぞれ対応した複数のチャンネルリストを格納するチャンネルリスト記憶手段と、移動体が向かう地域を設定する地域設定手段と、前記地域設定手段からの情報に基づき移動体の移動する地域を判別し、前記チャンネルリスト記憶手段に格納されたチャンネルリストの読み出し順序を設定するチャンネルリスト更新手段と、受信状態を監視する受信状態監視手段と、前記受信状態監視手段による受信状態が困難と判断されると、設定された読み出し順序に基づきチャンネルリストを切り替え、切り替えたチャンネルリストの周波数チャンネルで選局する選局制御手段と、を備えたことを特徴とする。
【００１４】
さらに、この発明は、上記の構成に加え、正常受信状態の放送局の事業者系列番号を取得する手段と、前記受信状態監視手段による受信状態が困難と判断されると、前記チャンネルリスト記憶手段に格納された複数のチャンネルリストから設定された読み出し順序に基づき切り替えられたチャンネルリストから正常受信状態の放送局の事業者系列番号と同じ事業者系列番号の放送局を選択する手段と、前記選局制御手段は選択した放送局の周波数チャンネルで選局するように構成できる。
【００１５】
さらに、この発明は、上記の構成に加え、各地域の放送局に対応したチャンネルリストが格納された地域対象放送局情報記憶手段を備え、前記チャンネルリスト記憶手段に格納された複数のチャンネルリストに正常受信状態の放送局の事業者系列番号が無い場合に、地域対象放送局情報記憶手段に格納されたチャンネルリストによりチャンネルサーチを行い新たなチャンネルリストを作成する手段と、前記作成されたチャンネルリストから正常受信状態の放送局の事業者系列番号と同じ事業者系列番号の放送局を選択する手段と、前記選局制御手段は選択した放送局の周波数チャンネルで選局するように構成できる。
【００１６】
また、この発明は、各地域の放送局に対応したチャンネルリストが格納された地域対象放送局情報記憶手段をさらに備え、前記チャンネルリスト記憶手段に格納された複数のチャンネルリストに正常受信状態の放送局の事業者系列番号が無い場合に、地域対象放送局情報記憶手段に格納されたチャンネルリストから正常受信状態の放送局の事業者系列番号と同じ事業者系列番号の放送局を選択する手段と、前記選局制御手段は選択した放送局の周波数チャンネルで選局するように構成できる。
【００１７】
また、この発明は、現在の位置を判別する位置判別手段と、移動体が向かう地域を判別する地域判別手段とを備えたナビゲーション手段をさらに有し、このナビゲーション手段において設定されている目的地までの誘導経路に従い、前記チャンネルリスト更新手段は、前記チャンネルリスト記憶手段に格納されたチャンネルリストの読み出し順序を設定するように構成できる。
【００１８】
また、この発明は、前記ナビゲーション手段の位置判別手段により、放送エリアの変更の有無を検出する手段と、放送エリアの変更があると前記チャンネルリスト更新手段は、前記チャンネルリスト記憶手段に格納されたチャンネルリストの読み出し順序を現在位置に基づき変更するように構成できる。
【発明の効果】
【００１９】
この発明は、放送受信装置が移動経路に従い、現在地から目的地まで格納されたチャンネルリストの優先順位に従い複数の異なる放送エリアにそれぞれ対応する複数のチャンネルリストを予め備え、放送受信装置が放送エリアを越えて移動した場合、予め備えている複数のチャンネルリストから次の放送エリアと推定できる放送エリアのチャンネルリストに切り替えて選局するので、選局可能なチャンネルリストを速やかに選択することができる。
【００２０】
また、この発明は、テレビ再生中の放送波を異常受信した場合、異常受信と判断されたチャンネルの事業者系列番号と一致するチャンネルがあれば、そのチャンネルで選局することにより、テレビ再生中に放送受信装置が放送エリアを越えて移動した場合でも、移動先の放送エリアにおいて同一番組のテレビ再生を継続することができる。しかも、同一系列の放送局であってもリモコン番号及び３桁番号が異なる場合においても、事業系列番号に基づき物理チャンネルを特定し、選局を行うことで、移動先の放送エリアにおいて同一番組のテレビ再生を継続することができる。
【発明を実施するための最良の形態】
【００２１】
この発明の実施の形態について図面を参照しながら詳細に説明する。なお、図中同一または相当部分には同一符号を付し、説明の重複を避けるためにその説明は繰返さない。
【００２２】
この発明は、位置情報と目的地までのルートを探索し、移動体の移動に伴いこの先受信可能となるであろう放送エリアを予想して、チャンネルリストの優先順位を設定して、複数のチャンネルリストを用意して、このチャンネルリストの優先順位に従い選局を行う受信装置を提供するものである。
【００２３】
また、現在選局中の放送局の視聴が困難な場合には、現在のチャンネルリストに存在する放送局から、受信状態が最も良好な同一系列の放送局を自動受信するように構成するものである。
【００２４】
以下、この発明の実施形態につき、図面を参照して説明する。図１は、この実施形態おけるデジタル放送受信装置の構成を示すブロック図である。
【００２５】
この実施形態おけるデジタル放送受信装置１は、移動体である自動車や携帯電話などに搭載されて使用するもので、デジタル放送受信部１０、ディスプレイ３１、スピーカ３２からなる出力装置３０及びテンキー、タッチパネルで構成される入力装置３３を含んで構成されている。
【００２６】
デジタル放送受信装置１は、チューナ部１２により受信されるデジタル放送による映像、音声を出力させるデジタル放送受信部１０としての機能と、入力装置３３より入力される情報に基づき移動体が移動する目的地までのルートを探索するルート探索機能とが設けられている。
【００２７】
デジタル放送受信部１０は、放送方式（伝送レート）が異なる複数の番組の信号が多重化されたデジタル放送、即ち、同時に送信される固定向けデジタル放送と移動体向けデジタル放送を受信することができる、なお、移動体向けデジタル放送だけを受信できるように構成しても良い。
【００２８】
デジタル放送は、１チャンネルを１３個のセグメントに分割するとともに、それを最大３つの階層（Ａ階層、Ｂ階層、Ｃ階層）にグループ化して階層毎に異なる放送パラメータを設定することが可能な方式（階層伝送方式）により送信されている。１チャンネル内に携帯受信向け放送のための帯域、例えば、Ａ階層の１セグメントが確保され、残りの１２セグメントが移動体向けのＢ階層、固定向けのＣ階層に割り当てられる。Ａ階層、Ｂ階層、Ｃ階層の順でビットレートが高くなっており、Ａ階層により受信される番組の映像が最も低品質となり、Ｃ階層により受信される番組の映像が最も高品質となる。
【００２９】
出力装置３０は、ＬＣＤ（Liquid Crystal Display）などにより構成されるディスプレイ３１及びスピーカ３２が含まれている。
【００３０】
入力装置３３は、キーボードや各種機能ボタン、ディスプレイ３１の表示面と一体化して設けられるタッチパネルなどのポインティングデバイスが設けられる。ユーザは、入力装置３３を用いて、リモコン番号、各種機能を指示する情報を入力する。
【００３１】
入力装置３３を用いて、現在位置、目的地、経由経路等の情報が入力され、そのデータがＲＡＭ１７に格納される。格納されたデータはバス４０から制御部としてのＣＰＵ１１に与えられる。ＣＰＵ１１は、与えられた各種データに基づき、現在地、目的地並びに目的地までの経路（ルート）を探索し、経路（ルート）、目的地等の情報をＲＡＭ１７に与える。また、場所と郵便番号、電話番号等の対応関係を示す対象データベースをＲＯＭ１６に格納し、ＣＰＵ１１は、係る対象データベースを用いて、目的地検索などを行うこともできる。その目的地検索による経路（ルート）、目的地等の情報がＲＡＭ１７に格納される。
【００３２】
放送局６０からの電波をアンテナ１１ａにより受信し、受信した電波がチューナ部１２に与えられる。チューナ部１２は、デジタル放送受信装置１０のＣＰＵ１１からバス４０を介して与えられる選局制御信号に応じて、アンテナ１１ａにより受信される所定のチャンネル周波数に同調して、中間周波数に変換して増幅する。チューナ部１２は、例えば中間周波数の信号レベルに基づいてデジタル放送信号のレベル変化（受信電界強度）を検出することができる。
【００３３】
また、チューナ部１２は、デジタル放送信号を復調し、誤り検出及び訂正を行った後、復号したトランスポートストリーム（ＴＳ（Transport Stream）)信号をバス４０を介してＴＳ分離部１３へ出力する。このチューナ部１２は、誤り訂正前後のビットエラー率（ＢＥＲ）を検出することができ、現在の受信レベルやＢＥＲなどを受信状態情報としてＣＰＵ１１へ出力する。なお、受信状態情報には、ＢＥＲだけでなく増幅時のＡＧＣ（Auto Gain Control）による利得値を含めても良い。復調、誤り訂正等は、例えば、ＩＳＤＢ−Ｔ（Integrated Services Digital Broadcasting - Terrestrial：地上デジタル放送）デコーダにより、復調、誤り訂正等の処理を施し、ＴＳ信号として出力される。復調は、ＯＦＤＭ（Orthogonal Frequency Division Multiplexing）に基づいて行われる。
【００３４】
また、チューナ部１２は、後述するように、受信チャンネルリストメモリ１８に格納されたチャンネルリストに従い、ＣＰＵ１１の指示に応じて現在使用するチャンネルリストが選択され、選択されたチャンネルリストにより選局が行われる。
【００３５】
ＣＰＵ１１は、デジタル放送受信装置１全体の制御を司るもので、ＲＯＭ１６に記憶されたプログラムを実行することで、放送受信機能を制御する。この実施形態では、ＲＡＭ１７に各納された情報に基づき、移動体の移動等に伴いこの先受信可能となるであろう放送エリアを予想して、チャンネルリストの優先順位を設定して、その優先順位に従い最適なチャンネルリストを選択し、所望のチャンネル等をチューナ部１２が選択できるように制御する。また、複数階層で同一番組が放送（サイマル放送）されている場合に、一時的な受信状態の変化に影響されないようにして、最適な放送方式（伝送レート）によって送信されている番組を出力するように制御するように構成することもできる。
【００３６】
ＲＯＭ１６は、デジタル放送受信装置１により提供される各機能を実現するためのプログラムなどが記憶されるもので、放送受信機能を実現するためのプログラムには、後述するチャンネルサーチ、チャンネルリストの切替、更新制御を実行するためのプログラムが含まれている。ＲＯＭ１６は、例えば、フラッシュメモリ、ハードディスクが用いられ、上記したプログラムが格納される他、番組情報（ＥＰＧ）、地域対象放送局リスト等が格納される。
【００３７】
ＴＳ分離部１３は、チューナ部１２から出力されたＴＳを、各階層毎のＴＳに分離して出力する。ＴＳ分離部１３では、多重されている番組を構成する映像データ及び音声データを分離抽出する他、付加情報として多重伝送されるＮＩＴ（Network Information Table）等を分離抽出する。
【００３８】
ＴＳ分離部１３で分離された映像データは、バス４０を介して映像デコーダ１４に供給される。この実施形態においては、符号化映像データは、Ｈ．２６４データとしている。映像デコーダ１４は、Ｈ．２６４の符号化映像データを復号し、非圧縮のデジタル映像信号を出力する。この非圧縮のデジタル映像信号がビデオ（Ｖｉｄｅｏ）出力部から出力され、出力装置３０のディスプレイ３１に与えられる。また、符号化映像データがＭＰＥＧ（Moving Picture Experts Group）データである場合には、映像デコーダ１４は、ＭＰＥＧの復号が実行され、非圧縮のデジタル映像信号を出力する。
【００３９】
出力装置３０に与えられる非圧縮のデジタル映像信号は、ディスプレイ３１の表示形式に対応したビデオ信号にエンコードされ、ディスプレイ装置３１にて表示される。
【００４０】
ディスプレイ装置３１には、例えば、ＣＰＵ１１から供給されるＧＵＩ形式のＯＳＤ（On Screen Display）情報を重畳して表示される。ＣＰＵ１１からは、操作ボタン、電子プログラム画面、メニュー画面その他の文字情報等が与えられる。
【００４１】
また、ＴＳ分離部１３で分離された音声データは、バス４０を介して音声デコーダ１５に与えられ、音声デコーダ１５でＡＣＣ復号処理がなされて非圧縮のデジタル音声データとして出力装置３０のスピーカ３２に与えられる。音声データは図示しないＤＡＣ（Digital Analog Converter）でデジタル信号からアナログ信号に変換された後、所定の音量に制御されスピーカ３２から出力される。
【００４２】
ＴＳ分離部２３２で分離抽出されたＮＩＴ等の付加情報は、バス４０からＣＰＵ１１に与えられ、そして、ＣＰＵ１１からＲＡＭ１７に格納される。
【００４３】
上記したＲＡＭ１７は、各種プログラムやデータなどが一時的に記憶されるもので、デマルチプレクサ３１を通じて入力されたＴＳを保存あるいは展開するためのエリアが設けられる。
【００４４】
この実施形態におけるデジタル放送受信部１０は、不揮発性メモリで構成される受信チャンネルリストメモリ１８がバス４０に接続されている。この受信チャンネルリストメモリ１８には、移動体の移動等に伴いこの先受信可能となるであろう放送エリアを予想して、チャンネルリストの優先順位が設定された複数の放送エリアにおける放送局情報リストとしてのチャンネルリストが格納されている。このチャンネルリストは、ＲＯＭ１６に格納されている地域対象放送局リストからＣＰＵ１１が探索した経路情報に基づき、複数のチャンネルリストを読み出し、現在地から目的地まで経路に従い優先順位を着けて各チャンネルリストを格納する。
【００４５】
この実施形態においては、受信チャンネルリストメモリ１８を別回路ブロックで記載しているが、ＲＡＭ１７に受信チャンネルリストメモリ領域を設け、ＣＰＵ１１により、リスト更新部の機能を動作させることにより、受信チャンネルリストメモリ１８を別回路として設けなくてもよい。
【００４６】
また、ＲＡＭ１７には、エリア内における最適な放送方式を示す放送方式情報、通信タワー６０から送信された電波が受信される際の予想の受信レベルを示す情報なども格納され、更に、同エリアにおける移動体（車両）の走行状態（速度、方向、高度）を示す情報を追加して蓄積することができる。
【００４７】
次に、上述したＣＰＵ１１の制御動作を機能ブロックとして図２に示す。ＣＰＵ１１はＲＯＭ１６に格納されているプログラムにより、図２に示す制御動作を示す機能により、各種動作を制御するものである。
【００４８】
ＣＰＵ１１は、図２に示すように、切り替え制御部１１１、リスト更新部１１２、チャンネル選局部１１３、放送分析部１１４としての制御動作を行う。ＣＰＵ１１とチューナ部１２、ＴＳ分離部１３、ＲＯＭ１６、入力装置３３、受信チャンネルリストメモリ１８とは、バス４０を介して接続されている。
【００４９】
入力装置３３からリモコン番号又は３桁番号が入力されると、その情報がバス４０からＣＰＵ１１に与えられる。切り替え制御部１１１は、リモコン番号又は３桁番号の情報が与えられると、リスト更新部１１２、チャンネル選局部１１３及び放送分析部１１４を制御することにより、切り替え選局を開始する。また、放送エリアが圏外になるなどの受信状態に異常が生じた場合も切り替え選局を開始する。切り替え制御部１１１は、受信チャンネルリストメモリ１８に記憶されている全てのチャンネルリストを検索しても、受信可能なチャンネルがない場合はチャンネルサーチを開始するように動作を制御する。
【００５０】
リスト更新部１１２は、受信チャンネルリストメモリ１８に対する読み出し制御及び書き込み制御を行う。例えば、受信チャンネルリストメモリ１８に記憶された複数のチャンネルリストの中から使用するチャンネルリストに設定する順番（優先順位）を管理し、更に、チャンネルリストの更新を制御する。
【００５１】
チャンネル選局部１１３は、切り替え制御部１１１からの指示を受け、チューナ部１２に物理チャンネル（Ｃｈ）を設定し、チューナ部１２から得られる受信状態情報に基づき、設定した物理チャンネルに受信可能な放送波（ＴＳ）がある場合は、物理チャンネル選局の成功とし、チューナ部１２からＴＳ分離部１３へＴＳのまま出力させる。受信可能な放送波（ＴＳ）がない場合は、物理チャンネル選局の失敗とし、切り替え選局制御部１１１にその旨通知する。
【００５２】
放送分析部１１４は、切り替え制御部１１１の指示を受け、ＴＳ分離部１３の設定と、ＴＳ分離部１３によって分離されたデータの解析を行う。この解析により、得られる放送局情報、ＴＳのサービス構成などを切り替え制御部１２１に通知する。また、チューナ部１２の状態を監視し、デジタル放送受信装置１が放送エリア圏外に移動した場合も、その旨切り替え選局制御部１２１に通知する。
【００５３】
各地域の放送局対応表の例を図３に示す。図３に示すように、地域識別データ０〜６３の符号により地域を特定するものである。０〜９が広域放送を示し、１０〜６３が県域（県内局）放送を示す。具体的に示すと、図３に示すように、広域放送は関東、近畿、中京の他、北海道域、岡山香川、島根鳥取を含む。また、県域放送は、北海道が６に区分けされる他、各県毎に分けられている。図４は、近畿地方のチャンネルリスト、図５は、中国四国地方のチャンネルリストの一部である。図６は、事業者系列番号と系列を代表する放送事業者を示すリストである。図４、図５のチャンネルリストには、地域、放送局名、リモコン番号、物理チャンネル、事業者系列番号が含まれる。尚、各チャンネルリストには、図では示していないが、更に、３桁番号、サービスＩＤ、受信レベル、などが含まれる。
【００５４】
受信チャンネルリストメモリ１８には、移動体の現在位置に対応する地域を放送チャンネルリストを優先順位の一番高いチャンネルリストとして格納され、目的地までの経路に沿って優先順位を決められた複数のチャンネルリストが格納される。
【００５５】
この実施形態は、自動車等の移動体で移動しながら放送を受信している際に、受信できる放送圏のエリアが異なると、予め経路を設定したデータに基づき、移動体がいるチャンネルのリストが用いられるように、現在使用しているチャンネルのリスト切り替えて更新する。すなわち、現在受信している送信局のサービスエリアを出て隣の送信局のサービスエリアに入ったときや、受信できる物理チャンネルがない場合には、次の優先順位のチャンネルリストに切り替えることができる。
【００５６】
また、移動体で移動しながら放送を受信している際に、現在視聴している番組と同じ系列の番組が例え物理チャンネル、リモコン番号、３桁番号が異なっていても自動的に探し、継続的に視聴することを可能とするものである。
【００５７】
図７では、その様子を模式的に示す。Ａ送信局３０１の受信可能範囲３０４の中をＡ送信局の放送を受信している移動体４００が、Ｂ送信局３０２の受信可能範囲３０６を経て目的地３１０のＣ送信局３０３のサービスエリアまで行く様子を示している。尚、移動体４００が入力装置３３を用いて設定した目的地３１０は、Ｂ送信局３０２の隣のＣ放送局３０３の受信可能範囲３０８としている。
【００５８】
例えば、ユーザが入力装置３３を用いて、現在地が大阪で目的地が岡山として、高速道路あるいは鉄道を用いて移動すると入力する。この入力に従いＣＰＵ１１は、経路を探索し、大阪の放送エリアから兵庫の放送エリアを経て岡山の放送エリアに至る経路を求める。そして、ＣＰＵ１１は、ＲＯＭ１６の地域対象放送局リストより、大阪の放送エリア、兵庫の放送エリア、岡山の放送エリアに対応するチャンネルリストを読み出す。そして、優先順位を大阪が１番に、２番目が兵庫、３番目を岡山にそれぞれ設定し、各放送エリアのチャンネルリストを受信チャンネルリスト１８に優先順位とともにそれぞれ格納する。
【００５９】
図８は、図７に示す移動経路に従ったチャンネルリストであり、Ａエリアが大阪、Ｂエリアが兵庫、Ｃエリアが岡山である。優先順位は（Ａ）から（Ｂ）そして（Ｃ）となっている。
【００６０】
図７において、移動体４００は、Ａ送信局３０１のサービスエリア（Ａエリア：大阪）３０５のなかでＡ送信局３０１の放送を受信しているものとする。Ｂ送信局３０２、Ｃ放送局３０３のサービスエリアは、Ｂエリア（兵庫）３０７、Ｃエリア（岡山）３０９とする。
【００６１】
以下、この発明の第１の実施形態の動作につき、図９ないし図１０のフローチャートに従い説明する。まず、移動経路を検出し、複数のチャンネルリストを受信チャンネルリストメモリ１８に設定する動作につき図９のフローチャートに従い説明する。
【００６２】
ユーザは放送受信装置１の入力装置３３を用いて、ユーザが移動する経路を設定するために、現在地、目的地、電車、車、高速道路を用いる等の移動手段を入力する（ステップＳ１０１）。尚、ユーザが移動経路を入力装置３３を用いて直接設定してもよい。例えば、大阪の新大阪駅から新幹線を利用して岡山に向かうというような設定を行うこともできるように構成している。
【００６３】
ＣＰＵ１１は、入力された現在地、目的地、移動手段等の情報に基づき、移動経路を探索する（ステップＳ１０２）。尚、この発明の放送受信装置がナビゲーション装置に搭載される場合には、ナビゲーション装置のルート検索機能を用いて、移動経路を探索すればよい。また、ユーザが移動経路を設定している場合には、設定した移動経路をＣＰＵ１１が選択する。
【００６４】
続いて、求めた移動経路に従い、現在地から目的地までの各放送エリアのチャンネルリストをＲＯＭ１６より読み出す（ステップＳ１０３）。
【００６５】
その後、ＣＰＵ１１は、読み出したチャンネルリストを移動経路に沿って、優先順位を付し、受信チャンネルリストメモリ１８に格納する（ステップＳ１０４）。大阪を現在地、目的地が岡山の場合には、優先順位は、大阪を１番に、２番目を兵庫、３番目を岡山に設定し、各放送エリアのチャンネルリストを受信チャンネルリスト１８に優先順位とともにそれぞれ格納する。
【００６６】
このように、現在地から目的地まで移動経路に沿って、各放送エリアのチャンネルリストが受信チャンネルリスト１８に格納され、このチャンネルリストに従い放送受信装置１の選局動作が行われる。
【００６７】
図１０は、選局動作を示すフローチャートである。図１０に従い、選局動作につき説明する。
【００６８】
選局動作を開始すると、ＣＰＵ１１は、入力装置３３にて選局ボタンが押下される迄待機する（ステップＳ１）。入力装置３３にて選局ボタンが押下されると、ステップＳ２では、切り替え制御部１１１が、入力装置３３から入力されたリモコン番号又は３桁番号と対応する物理チャンネルが現在設定されているかを判断する。そして、リスト更新部１１２を介して受信チャンネルリストメモリ１８に格納された現在用いるものとして設定されたチャンネルリスト中に物理チャンネルが存在するかを判断する。この判断の際に使用するチャンネルリストは、移動経路に従い、現在地から目的地まで格納されたチャンネルリストの優先順位に従い設定される。最初に選局動作を開始する際には優先順位が最も高いものが使用するチャンネルリストとして設定されている。図７に示す例においては、大阪エリアのチャンネルリストが最初に設定されている。
【００６９】
ステップＳ２において、物理チャンネルが現在設定されている又はチャンネルリスト中に存在する（ＹＥＳ）と確認された場合、ステップＳ３に進み、現在設定されておらず、かつチャンネルリスト中に存在しない（ＮＯ）と確認された場合、ステップステップＳ６に進む。
【００７０】
ステップＳ３では、切り替え制御部１１１がチャンネル選局部１１３を制御することにより、入力装置３３から入力されたリモコン番号又は３桁番号と対応する物理チャンネルでチューナ部１２を設定し、放送波（ＴＳ）の受信を行う。
【００７１】
続いて、ステップＳ４では、ステップＳ３における物理チャンネルの選局が成功したか否かがチャンネル選局部１１３において判断され、成功した（ＹＥＳ）と判断されるとステップＳ５に進み、失敗した（ＮＯ）と判断されるとステップＳ６に進む。
【００７２】
ステップＳ５では、ステップＳ３における物理チャンネル選局により得られた放送波（ＴＳ）を解析し、放送局の特定、放送局の事業者系列番号及びチャンネルリストの設定変更を行い、ステップＳ１０に進む。
【００７３】
この処理においては、後述する受信感度の悪化もしくは完全に受信できなくなったときなどにより、現在視聴している放送局と同じ系列の放送局を自動的にサーチするために、選局した放送局の系列を示す事業者系列番号を保存する。この事業者系列番号は、予めチャンネルリストにセットされていれば、そのデータから事業者系列番号を取得する。あるいは、図４に示すような放送局と系列番号の対応テーブルをＲＯＭ１６等に格納しておき、対応テーブルに基づき事業者系列番号を取得する。
【００７４】
物理チャンネルが現在設定されておらず、かつチャンネルリスト中に存在しない、あるいは、物理チャンネルの選局が失敗すると、ステップＳ６に進む。ステップＳ６では、受信チャンネルリストメモリ１８に記憶されている全てのチャンネルリストについて物理チャンネル選局を行ったか否かが切り替え制御部１１１において判断され、行っていない（ＮＯ）と判断されたらステップＳ７に進み、行っている（ＹＥＳ）と判断されたらステップＳ８に移行する。
【００７５】
ステップＳ７では、リスト更新部１１２が現在使用するものとして設定しているチャンネルリストを次ぎの優先順位のチャンネルリストに変更し、ステップＳ２に戻る。このように、移動経路に従い、現在地から目的地までのチャンネルリストの優先順位に従ってチャンネルリストを切り替えることにより、次のチャンネルリストで選局が成功する可能性が向上する。
【００７６】
以後、選局が成功するまでは、上述の動作を繰り返す。そして、ステップＳ６において、選局が成功せず、受信チャンネルリストメモリ１８に格納したチャンネルリストをすべて確認したと判断すると、ステップＳ８に進む。
【００７７】
ステップＳ８では、既にチャンネルサーチを行ったか否かが切り替え制御部１１１において判断され、行っていない（ＮＯ）と判断されたらステップＳ９に進み、行っている（ＹＥＳ）と判断されたらステップＳ１０に進む。
【００７８】
ステップＳ９では、切り替え制御部１１１がＲＯＭ１６に格納されている１３チャンネルから６２チャンネルの物理チャンネルのチャンネルサーチを行い、現時点で受信可能なチャンネルを検出し、新しいチャンネルリストを作成し、ステップＳ２に戻る。
【００７９】
このように、受信チャンネルリストメモリ１８に記憶された全てのチャンネルリストを用いて選局が失敗してはじめてチャンネルサーチを行うことにより、チャンネルサーチを行う頻度を低く抑えることができる。なお、チャンネルサーチを行う場合、選局が失敗したチャンネルリストのチャンネルをサーチ対象から除外することにより、高速にチャンネルサーチを行うことができる。
【００８０】
ステップＳ１０では、チャンネルリスト識別情報などの切り替え選局結果をディスプレイ３１に表示し、切り替え選局処理を終了する。
【００８１】
図１及び図２に示した受信チャンネルリストメモリ１８は、チャンネルリスト特定処理における放送局の特定とチャンネルリストの設定変更（図１０のステップＳ５に相当）が行われるたびに、対応するリモコン番号を現在使用しているチャンネルリスト識別情報と共にラストチャンネルリストとして記憶する。なお、ここでは、リモコン番号を例に挙げているが、３桁番号又はサービスＩＤでもよく、チャンネルを表示できる情報であれば何でもよい。
【００８２】
このように、この実施の形態によれば、放送受信装置が移動経路に従い、現在地から目的地まで格納されたチャンネルリストの優先順位に従い複数の異なる放送エリアにそれぞれ対応する複数のチャンネルリストを予め備え、放送受信装置が放送エリアを越えて移動した場合、予め備えている複数のチャンネルリストから次の放送エリアと推定できる放送エリアのチャンネルリストに切り替えて選局する。この結果、選局可能なチャンネルリストを速やかに選択することができる。
【００８３】
次に、この発明の第２の実施の形態につき説明する。この第２の実施形態では、移動によって視聴中の放送局の受信感度が悪化もしくは完全に受信できなくなった場合について説明する。なお、この実施の形態に係るデジタル放送受信装置の構成は図１及び図２と同様であるので、図１及び図２を援用して説明する。
【００８４】
図１１は、この発明の第２の実施の形態に係るデジタル放送受信装置のテレビ再生中における異常受信回避処理の手順を示すフローチャートである。
【００８５】
テレビ再生中は、図１１に示すように、ＣＰＵ１１は、放送波が正常に受信され、映像及び音声が再生されているかを判断している（ステップＳ２０１）。ステップＳ２０１において、放送波を正常に受信している（ＹＥＳ）と判断されると、異常受信回避処理を終了する。一方、受信状態が悪く、映像又は音声などの再生にエラーを起こし、再生が停止するような場合など、放送波を正常に受信していない、すなわち、異常受信である（ＮＯ）と判断すると、ステップＳ２０２に移行する。
【００８６】
ステップＳ２０２では、現在テレビ再生していた放送局の事業者系列番号を取得する。この系列番号情報は、チャンネルリスト特定処理における放送局の特定とチャンネルリストの設定変更（図１０のステップＳ５に相当）の処理の際に、保存されている事業者系列番を読み出す。なお、この事業者系列番号は、予めＲＯＭ１６に格納しておけばよいが、ＲＯＭ１６に格納されていない場合には、放送データから構築して受信チャンネルリストメモリ１８に格納するように構成しても良い。放送データから構築する場合には、放送データの１つであるＢＩＴ（Broadcaster Information Table）の系列事業者情報から取得すればよい。
【００８７】
続いて、ステップＳ２０３において、リスト更新部１１２が現在使用するものとして設定しているチャンネルリストを次ぎの優先順位のチャンネルリストに変更し、ステップＳ２０４に進む。
【００８８】
ステップＳ２０４では、切り替え制御部１１１が、事業者系列番号に対応する放送局の物理チャンネルが存在するかを判断する。即ち、リスト更新部１１２を介して受信チャンネルリストメモリ１８に格納された現在用いるものとして設定されたチャンネルリスト中の各放送局の事業者系列番号を検索し、再生していた放送局の事業者系列番号と同じ放送局があるか否か検索し、事業者系列番号に対応する放送局の物理チャンネルが存在するかを判断する。事業者系列番号が同じである同一系列の放送局を検索するのは、同一系列の放送局同士では、ローカルなニュース等を除けば、ほぼ同じ内容の番組が放送されている可能性が高いため、受信状態が良好な同一系列局に切り替えれば番組が途中で切れることなく視聴することができるからである。また、放送エリアが変わるとリモコン番号及び３桁番号が変わり、同一系列の放送局でおいてもリモコン番号及び３桁番号が変わる場合がある。このため、放送エリアが変わった場合、ユーザが入力したリモコン番号または３桁番号に対応する物理チャンネルを選局すると、系列局が異なる場合がある。そこで、この実施形態においては、事業者系列番号から対応する物理チャンネルを特定するように構成している。
【００８９】
そして、対応する事業者系列番号がチャンネルリスト中に存在する（ＹＥＳ）と確認された場合、ステップＳ２０５に進み、チャンネルリスト中に存在しない（ＮＯ）と確認された場合、ステップステップＳ２０８に進む。
【００９０】
ステップＳ２０５では、切り替え制御部１１１がチャンネル選局部１１３を制御することにより、事業者系列番号に対応する物理チャンネルでチューナ部１２を設定し、放送波（ＴＳ）の受信を行う。
【００９１】
続いて、ステップＳ２０６では、ステップＳ２０５における物理チャンネルの選局が成功したか否かがチャンネル選局部１１３において判断され、成功した（ＹＥＳ）と判断されるとステップＳ２０７に進み、失敗した（ＮＯ）と判断されるとステップＳ２０８に進む。
【００９２】
ステップＳ２０７では、ステップＳ３における物理チャンネル選局により得られた放送波（ＴＳ）を解析し、放送局の特定、放送局の事業者系列番号及びチャンネルリストの設定変更を行い、ステップＳ２１２に進む。
【００９３】
そして、ステップ２１２において、同一系列の放送局名等をディスプレイ３１に表示し、同一系列の放送局に切り替えたことをユーザに知らせる。
【００９４】
対応する物理チャンネルが設定されておらず、あるいは、物理チャンネルの選局が失敗すると、ステップＳ２０８に進む。ステップＳ２０８では、受信チャンネルリストメモリ１８に記憶されている全てのチャンネルリストについて、事業者系列番号の検索並びに物理チャンネル選局を行ったか否かが切り替え制御部１１１において判断され、行っていない（ＮＯ）と判断されたらステップＳ２０９に進み、行っている（ＹＥＳ）と判断されたらステップＳ２１０に移行する。
【００９５】
ステップＳ２０９では、リスト更新部１１２が現在使用するものとして設定しているチャンネルリストを次ぎの優先順位のチャンネルリストに変更し、ステップＳ２０４に戻る。
【００９６】
以後、選局が成功するまでは、上述の動作を繰り返す。そして、ステップＳ２０８において、選局が成功せず、受信チャンネルリストメモリ１８に格納したチャンネルリストをすべて確認したと判断すると、ステップＳ２１０に進む。
【００９７】
ステップＳ２１０では、既にチャンネルサーチを行ったか否かが切り替え制御部１１１において判断され、行っていない（ＮＯ）と判断されたらステップＳ２１１に進み、行っている（ＹＥＳ）と判断されたらステップＳ２１２に進む。
【００９８】
ステップＳ２１１では、切り替え制御部１１１がＲＯＭ１６に格納されている１３チャンネルから６２チャンネルの物理チャンネルのチャンネルサーチを行い、現時点で受信可能なチャンネルを検出し、新しいチャンネルリストを作成し、ステップＳ２０４に戻る。
【００９９】
そして、ステップＳ２０４において、作成されたチャンネルリストに対応する事業者系列番号が有るか否か検索して前述した動作を行う。
【０１００】
そして、チャンネルサーチを終了した後も同じ事業者系列番号がない場合には、選局結果表示には、選局可能なリモコン番号をディスプレイ３１に表示させる（ステップＳ２１２）。そして、異常受信回避処理を終了する。
【０１０１】
このように実施の形態によれば、テレビ再生中の放送波を異常受信した場合、異常受信と判断されたチャンネルの事業者系列番号と一致するチャンネルがあれば、そのチャンネルで選局することにより、テレビ再生中に放送受信装置が放送エリアを越えて移動した場合でも、移動先の放送エリアにおいて同一番組のテレビ再生を継続することができる。しかも、同一系列の放送局であってもリモコン番号及び３桁番号が異なる場合においても、事業系列番号に基づき物理チャンネルを特定し、選局を行うので、移動先の放送エリアにおいて同一番組のテレビ再生を継続することができる。
【０１０２】
上記した第２の実施形態において、図７、図８に示す態様に従い具体的な例につき説明する。ここで、受信チャンネルリストメモリ１８に大阪、兵庫、岡山の放送エリアに対応するチャンネルリストが設定された状態で、兵庫県から岡山県に移動する場合につき説明する。例えば、兵庫県でＭＢＳ放送を視聴していて、県境にさしかかり、ＭＢＳ放送が視聴できなかったとする。このときＭＢＳ放送と事業者系列番号の岡山の放送局を視聴することができれば、兵庫県で視聴していた番組を引き続き視聴することができる。
【０１０３】
ＭＢＳ放送を受信しているときに、ＭＢＳ放送の事業者系列番号が「２」であることが受信チャンネルリストメモリ１８に格納されている。受信状態が悪化し、正常受信ができなくなると、受信チャンネルリストメモリ１８に格納されているチャンネルリストから現在使用しているチャンネルリストを次の優先順位のチャンネルリストに替える。例えば、ＭＢＳ放送を受信し、大阪から兵庫に移動した際には、正常受信の状態が続いているので、現在使用しているチャンネルリストは大阪のままである。このため、チャンネルリストは次の優先順位の兵庫に切り替えられる。ＭＢＳ放送と同じ系列番号を検索すると、兵庫も大阪も同じＭＢＳ放送の物理チャンネルが選択される。従って、チャンネルリストを兵庫に切り替えても受信ができない状態が続き、次の優先順位である岡山にチャンネルリストが切り替えられる。
【０１０４】
岡山のチャンネルリストで、事業者系列番号が「２」の放送局を検索する。岡山のチャンネルリストでは、事業者系列番号が「２」の放送局が山陽放送であり、その物理チャンネルは「２１」である。物理チャンネル「２１」で選局を行えば、山陽放送を受信でき、同じ系列の放送を引き続き受信できることになる。このように、テレビ再生中に放送受信装置が放送エリアを越えて移動した場合でも、移動先の放送エリアにおいて同一番組のテレビ再生を継続することができる。
【０１０５】
上述した実施形態においては、移動により放送エリアが変更になっても、正常受信状態が続いている場合には、チャンネルリストは変更されない。このため、さらに、移動して、放送エリアが変更になり、正常受信が行えなくなった場合に、選局動作が直近に位置した移動体の放送エリアとは異なるエリアのチャンネルリストから行うことになる。そこで、この第３の実施形態においては、移動体の現在地を考慮し、正常受信状態が続いている場合においても、移動体が異なる放送エリアに移動した場合には、移動体の位置に対応してチャンネルリストを変更するように構成したものである。
【０１０６】
図１２は、この第３の実施形態おけるデジタル放送受信装置の構成を示すブロック図である。
【０１０７】
この第３の実施形態おけるデジタル放送受信装置１は、移動体である自動車などに搭載されて使用するもので、デジタル放送受信部１０、ナビゲーション部２０、ディスプレイ３１、スピーカ３２からなる出力装置３０及びテンキー、タッチパネルで構成される入力装置３３を含んで構成されている。
【０１０８】
この第３の実施形態のデジタル放送受信装置１は、チューナ部１２により受信されるデジタル放送による映像、音声を出力させるデジタル放送受信部１０としての機能と、ナビゲーション部２０によって取得される移動体（車両）の移動状態（速度、方向等）の情報をもとにナビゲーション情報（地図、音声案内など）を出力させるナビゲーション機能とが設けられている。
【０１０９】
デジタル放送受信部１０の構成は、上述した図１及び図２に示す構成と同じ構成であり、同一部分には同一符号を付し、説明の重複を避けるために、ここでは、その説明を割愛する。
【０１１０】
ナビゲーション部２０は、移動体の移動状態を示す情報を取得するもので、ＧＰＳ衛星５０からの信号をＧＰＳアンテナ２１ａにより受信して現在位置の緯度／経度／高度を表す位置情報を取得するＧＰＳ（Global Positioning System）部２１と、車両の走行速度を検知して車速情報を取得する車速度センサ２２と、車両の進行方向を示す進行方向情報を取得するジャイロセンサ２３が設けられている。そして、ＧＰＳ部２１と、車速度センサ２２と、ジャイロセンサ２３からの各情報は、バス４０を介してＣＰＵ１１に与えられる。
【０１１１】
ＣＰＵ１１は、ＧＰＳ部２１と、車速度センサ２２と、ジャイロセンサ２３からの各情報による航法データ基づいて、現在位置を検出し、この検出した現在位置がどのエリアに属するか判断し、その判断結果をＲＡＭ１７に格納する。
【０１１２】
また、図示しない場所と郵便番号、電話番号等の対応関係を示す対象データベースを備え、ＣＰＵ１１は、係る対象データベースを用いてナビゲーション部２０の目的地検索などを行う。その目的地検索による経路（ルート）、目的地等の情報がＲＡＭ１７に格納される。このナビゲーション部２０の経路（ルート）検索を利用して、受信チャンネルリストメモリ１８に、現在地から目的地まで経路に従い優先順位を着けて各チャンネルリストを格納する。
【０１１３】
この実施形態は、自動車等の移動体で移動しながら放送を受信している際に、受信できる放送圏のエリアが異なると、移動体がいるチャンネルのリストが用いられるように、受信チャンネルリストメモリ１８に格納されているチャンネルリストの優先順位に従ってチャンネルリストを切り替える。すなわち、現在受信している送信局のサービスエリアを出て隣の送信局のサービスエリアに入ったとき、チャンネルを自動で切り替えることができる。また、移動体で移動しながら放送を受信している際に、現在視聴している番組と同じ系列の番組が例え物理チャンネルが異なっていても自動的に探し、継続的に視聴することを可能とするものである。
【０１１４】
基本的な選局動作は、第１の実施形態と同じであり、この実施形態においても図９及び図１０に示す選局動作が行われる。
【０１１５】
移動によって視聴中の放送局の受信感度が悪化もしくは完全に受信できなくなった場合における第３の実施形態の動作について説明する。なお、この実施の形態に係るデジタル放送受信装置の構成は図１及び図２と同様であるので、図１及び図２を援用して説明する。
【０１１６】
図１３は、この発明の第３の実施の形態に係る放送受信装置のテレビ再生中における異常受信回避処理の手順を示すフローチャートである。この第３の実施形態においては、移動体の現在地を考慮し、正常受信状態が続いている場合においても、移動体が異なる放送エリアに移動した場合には、移動体の位置に対応してチャンネルリストを変更する。
【０１１７】
テレビ再生中は、図１３に示すように、ＣＰＵ１１は、放送波が正常に受信され、映像及び音声が再生されているかを判断している（ステップＳ２０１）。ステップＳ２０１において、放送波を正常に受信している（ＹＥＳ）と判断されると、ステップ２２１へ進み、正常受信状態が続いている場合においても、移動体が異なる放送エリアに移動した場合には、移動体の位置に対応してチャンネルリストを変更するための処理を行う。ステップＳ２２１において、ナビゲーション部２０より移動体の現在地を求め、ステップＳ２２２に進む。ステップＳ２２２においては、放送エリアが変更したか否か判断する。即ち、検出した現在位置が現在使用しているチャンネルリストの放送エリアであるか判断する。そして、放送エリアの変更がない（ＮＯ）と判断されると、ステップＳ２０１に戻り、上述の動作を繰り返す。
【０１１８】
一方、移動体の現在位置における放送エリアが変更になっている（ＹＥＳ）と判断されると、ステップＳ２２３に進む。ステップＳ２２３においては、受信チャンネルリストメモリ１８に格納されているチャンネルリストの中に対応する放送エリアがあるか否か判断する。移動体が現在いる地域のチャンネルリストが受信チャンネルリストメモリ１８内に存在する場合（ＹＥＳ）には、ステップＳ２２４に進む。ステップＳ２２４において、リスト更新部１１２が現在使用するものとして設定しているチャンネルリストを現在位置の放送エリアに対応するチャンネルリストに変更し、このリストの優先順位より順次下の優先順位を繰り上げ、このリストより上位の優先順位を繰り下げてチャンネルリストの優先順位を変更する。例えば、上述したように、図７に示す移動経路が設定されており、Ａエリアが大阪、Ｂエリアが兵庫、Ｃエリアが岡山であるとすると、図８に示すように、優先順位は（Ａ）が１番、（Ｂ）が２番、（Ｃ）が３番となっている。大阪から兵庫に移動体が移動しても、正常受信が殆ど続く。このとき、移動体が兵庫に移動すると、ＣＰＵ１１は、移動体の現在位置から放送エリアが変更されたことを検出する。この検出により、リスト更新部１１２が兵庫の放送エリアのチャンネルリストを現在使用するチャンネルリストに変更し、次の優先順位である岡山を次の優先順位の１番目とし、大阪は、岡山の次の優先順位に変更される。
【０１１９】
一方、ステップ２２３において、移動体が現在いる地域のチャンネルリストが受信チャンネルリストメモリ１８内に存在しない場合（ＮＯ）には、リスト更新部１１２がＲＯＭ１６より、現在地として検出されている地域のチャンネルリストを読み出し、受信チャンネルリストメモリ１８に格納し、チャンネルリストを現在位置の放送エリアに対応するチャンネルリストに変更する。尚、この場合には、格納されているチャンネルリストの優先順位は、１つずつ繰り下げる。例えば、大阪から京都に移動体が移動しても、正常受信が殆ど続く。このとき、移動体が京都に移動すると、ＣＰＵ１１は、移動体の現在位置から放送エリアが変更されたことを検出する。この検出により、リスト更新部１１２がＲＯＭ１６より京都の放送エリアのチャンネルリストを現在使用するチャンネルリストに変更し、次の優先順位は大阪、その次が兵庫、さらにその次が岡山と優先順位を設定する。
【０１２０】
チャンネルリストの変更処理が終わると、ステップＳ２０１に戻り、上述の動作を繰り返す。
【０１２１】
ステップＳ２０１において、受信状態が悪く、映像又は音声などの再生にエラーを起こし、再生が停止するような場合など、放送波を正常に受信していない、すなわち、異常受信である（ＮＯ）と判断すると、ステップＳ２０２に移行する。
【０１２２】
ステップＳ２０２では、現在テレビ再生していた放送局の事業者系列番号を取得する。この系列番号情報は、チャンネルリスト特定処理における放送局の特定とチャンネルリストの設定変更（図１０のステップＳ５に相当）の処理の際に、保存されている事業者系列番を読み出す。
【０１２３】
続いて、ステップＳ２０３において、リスト更新部１１２が現在使用するものとして設定しているチャンネルリストを次の優先順位のチャンネルリストに変更し、ステップＳ２０４に進む。チャンネルリストは、移動体が現在地に対応するものに変更されているので、現在位置から次の優先順位が高いチャンネルリストに変更する。上述したように、正常受信が続いていても放送エリアが変更されている場合には、ステップＳ２２１からＳ２２５の処理により、現在位置のチャンネルリストが変更されている。
【０１２４】
ステップＳ２０４では、切り替え制御部１１１が、事業者系列番号に対応する放送局の物理チャンネルが存在するかを判断する。即ち、リスト更新部１１２を介して受信チャンネルリストメモリ１８に格納された現在用いるものとして設定されたチャンネルリスト中の各放送局の事業者系列番号を検索し、再生していた放送局の事業者系列番号と同じ放送局があるか否か検索し、事業者系列番号に対応する放送局の物理チャンネルが存在するかを判断する。
【０１２５】
そして、対応する事業者系列番号がチャンネルリスト中に存在する（ＹＥＳ）と確認された場合、ステップＳ２０５に進み、チャンネルリスト中に存在しない（ＮＯ）と確認された場合、ステップステップＳ２０８に進む。
【０１２６】
ステップＳ２０５では、切り替え制御部１１１がチャンネル選局部１１３を制御することにより、事業者系列番号に対応する物理チャンネルでチューナ部１２を設定し、放送波（ＴＳ）の受信を行う。
【０１２７】
続いて、ステップＳ２０６では、ステップＳ２０５における物理チャンネルの選局が成功したか否かがチャンネル選局部１１３において判断され、成功した（ＹＥＳ）と判断されるとステップＳ２０７に進み、失敗した（ＮＯ）と判断されるとステップＳ２０８に進む。
【０１２８】
ステップＳ２０７では、ステップＳ３における物理チャンネル選局により得られた放送波（ＴＳ）を解析し、放送局の特定、放送局の事業者系列番号及びチャンネルリストの設定変更を行い、ステップＳ２１２に進む。
【０１２９】
そして、ステップ２１２において、同一系列の放送局名等をディスプレイ３１に表示し、同一系列の放送局に切り替えたことをユーザに知らせる。
【０１３０】
対応する物理チャンネルが設定されておらず、あるいは、物理チャンネルの選局が失敗すると、ステップＳ２０８に進む。ステップＳ２０８では、受信チャンネルリストメモリ１８に記憶されている全てのチャンネルリストについて、事業者系列番号の検索並びに物理チャンネル選局を行ったか否かが切り替え制御部１１１において判断され、行っていない（ＮＯ）と判断されたらステップＳ２０９に進み、行っている（ＹＥＳ）と判断されたらステップＳ２１０に移行する。
【０１３１】
ステップＳ２０９では、リスト更新部１１２が現在使用するものとして設定しているチャンネルリストを次ぎの優先順位のチャンネルリストに変更し、ステップＳ２０４に戻る。
【０１３２】
以後、選局が成功するまでは、上述の動作を繰り返す。そして、ステップＳ２０８において、選局が成功せず、受信チャンネルリストメモリ１８に格納したチャンネルリストをすべて確認したと判断すると、ステップＳ２１０に進む。
【０１３３】
ステップＳ２１０では、既にチャンネルサーチを行ったか否かが切り替え制御部１１１において判断され、行っていない（ＮＯ）と判断されたらステップＳ２１１に進み、行っている（ＹＥＳ）と判断されたらステップＳ２１２に進む。
【０１３４】
ステップＳ２１１では、切り替え制御部１１１がＲＯＭ１６に格納されている１３チャンネルから６２チャンネルの物理チャンネルのチャンネルサーチを行い、現時点で受信可能なチャンネルを検出し、新しいチャンネルリストを作成し、ステップＳ２０４に戻る。
【０１３５】
そして、ステップＳ２０４において、作成されたチャンネルリストに対応する事業者系列番号が有るか否か検索して前述した動作を行う。
【０１３６】
そして、チャンネルサーチを終了した後も同じ事業者系列番号がない場合には、選局結果表示には、選局可能なリモコン番号をディスプレイ３１に表示させる（ステップＳ２１２）。異常受信回避処理を終了する。
【０１３７】
尚、上記した第３の実施形態においては、ナビゲーション部２０を有し、ナビゲーション部２０で、移動体の現在位置を検出するように構成しているが、ナビゲーション部２０を備えていないデジタル放送受信装置においても現在位置を入手できる装置であれば、現在地を考慮し、移動体が異なる放送エリアに移動した場合には、移動体の位置に対応してチャンネルリストを変更するように構成できる。例えば、携帯電話装置にこの発明のデジタル放送受信装置を搭載した場合、携帯電話の基地局の情報により、現在位置の情報を入手して、上記した制御を行えばよい。
【０１３８】
上記した第３の実施形態において、図７、図８に示す態様に従い具体的な例につき説明する。ここで、受信チャンネルリストメモリ１８に大阪、兵庫、岡山の放送エリアに対応するチャンネルリストが設定された状態で、兵庫県から岡山県に移動する場合につき説明する。例えば、兵庫県でＭＢＳ放送を視聴していて、県境にさしかかり、ＭＢＳ放送が視聴できなかったとする。このときＭＢＳ放送と事業者系列番号の岡山の放送局を視聴する。
【０１３９】
ＭＢＳ放送を受信しているときに、ＭＢＳ放送の事業者系列番号が「２」であることが受信チャンネルリストメモリ１８に格納されている。受信状態が悪化し、正常受信ができなくなると、受信チャンネルリストメモリ１８に格納されているチャンネルリストから現在使用しているチャンネルリストを次の優先順位のチャンネルリストに替える。例えば、ＭＢＳ放送を受信し、大阪から兵庫に移動した際には、正常受信の状態が続いているが、現在位置が大阪から兵庫に変更していることを検出することにより、使用しているチャンネルリストは兵庫に切り替えられている。そして、次の優先順位のチャンネルリストは岡山となっている。このため、チャンネルリストは次の優先順位の岡山にチャンネルリストが切り替えられる。
【０１４０】
岡山のチャンネルリストで、事業者系列番号が「２」の放送局を検索する。岡山のチャンネルリストでは、事業者系列番号が「２」の放送局が山陽放送であり、その物理チャンネルは「２１」である。物理チャンネル「２１」で選局を行えば、山陽放送を受信でき、同じ系列の放送を引き続き受信できることになる。このように、テレビ再生中に放送受信装置が放送エリアを越えて移動した場合でも、移動先の放送エリアにおいて同一番組のテレビ再生を継続することができる。
【０１４１】
上述した第２及び第３の実施形態においては、チャンネルリストメモリ１８に対応する事業者系列番号が無い場合には、チャンネルサーチを行い、その後、対応する事業者系列番号を検索するように構成している。チャンネルサーチは１３チャンネルから６２チャンネルまで順次選局動作を行うため、ある程度の時間を必要とする。そこで、この第４の実施形態においては、１３チャンネルから６２チャンネル迄の間で、事業者系列番号による検索を行い、事業者系列番号でソートし、ソートしたチャンネルで選局動作を行うように構成し、所望の放送局を選局して、選局にかかる時間を短くするものである。
【０１４２】
移動によって視聴中の放送局の受信感度が悪化もしくは完全に受信できなくなった場合における第４の実施形態の動作について説明する。なお、この実施の形態に係るデジタル放送受信装置の構成は図１及び図２と同様であるので、図１及び図２を援用して説明する。
【０１４３】
図１４は、この発明の第４の実施の形態に係る放送受信装置のテレビ再生中における異常受信回避処理の手順を示すフローチャートである。
【０１４４】
テレビ再生中は、図１４に示すように、ＣＰＵ１１は、放送波が正常に受信され、映像及び音声が再生されているかを判断している（ステップＳ２０１）。ステップＳ２０１において、放送波を正常に受信している（ＹＥＳ）と判断されると、ステップ２２１へ進み、正常受信状態が続いている場合においても、前述した第３の実施形態と同様に移動体が異なる放送エリアに移動した場合には、移動体の位置に対応してチャンネルリストを変更するための処理を行う（ステップＳ２２１からステップ２２５参照）。
【０１４５】
ステップＳ２０１において、受信状態が悪く、映像又は音声などの再生にエラーを起こし、再生が停止するような場合など、放送波を正常に受信していない、すなわち、異常受信である（ＮＯ）と判断すると、ステップＳ２０２に移行する。
【０１４６】
ステップＳ２０２では、現在テレビ再生していた放送局の事業者系列番号を取得する。この系列番号情報は、チャンネルリスト特定処理における放送局の特定とチャンネルリストの設定変更（図１０のステップＳ５に相当）の処理の際に、保存されている事業者系列番号を読み出す。
【０１４７】
続いて、ステップＳ２０３において、リスト更新部１１２が現在使用するものとして設定しているチャンネルリストを次ぎの優先順位のチャンネルリストに変更し、ステップＳ２０４に進む。チャンネルリストは、移動体が現在地に対応するものに変更されているので、現在位置から次の優先順位が高いチャンネルリストに変更する。
【０１４８】
ステップＳ２０４では、切り替え制御部１１１が、事業者系列番号に対応する放送局の物理チャンネルが存在するかを判断する。即ち、リスト更新部１１２を介して受信チャンネルリストメモリ１８に格納された現在用いるものとして設定されたチャンネルリスト中の各放送局の事業者系列番号を検索し、再生していた放送局の事業者系列番号と同じ放送局があるか否か検索し、事業者系列番号に対応する放送局の物理チャンネルが存在するかを判断する。
【０１４９】
そして、対応する事業者系列番号がチャンネルリスト中に存在する（ＹＥＳ）と確認された場合、ステップＳ２０５に進み、チャンネルリスト中に存在しない（ＮＯ）と確認された場合、ステップステップＳ２０８に進む。
【０１５０】
ステップＳ２０５では、切り替え制御部１１１がチャンネル選局部１１３を制御することにより、事業者系列番号に対応する物理チャンネルでチューナ部１２を設定し、放送波（ＴＳ）の受信を行う。
【０１５１】
続いて、ステップＳ２０６では、ステップＳ２０５における物理チャンネルの選局が成功したか否かがチャンネル選局部１１３において判断され、成功した（ＹＥＳ）と判断されるとステップＳ２３１に進み、失敗した（ＮＯ）と判断されるとステップＳ２０８に進む。
【０１５２】
ステップＳ２３１では、選局が成功した物理チャンネルが受信チャンネルリストメモリ１８内に存在していたデータか否か判断する。選局が成功した物理チャンネルが受信チャンネルリストメモリ１８内に存在すると判断する（ＹＥＳ）と、ステップＳ２３７へ進む。
【０１５３】
ステップＳ２３７では、ステップＳ２３６における物理チャンネル選局により得られた放送波（ＴＳ）を解析し、放送局の特定、放送局の事業者系列番号及びチャンネルリストの設定変更を行い、ステップＳ２１２に進む。
【０１５４】
一方、選局が成功した物理チャンネルが受信チャンネルリストメモリ１８内に存在しないと判断する（ＮＯ）と、ステップＳ２３２に進む。ステップＳ２３２では、リスト更新部１１２がＲＯＭ１６より、選局した物理チャンネルを含む地域のチャンネルリストを読み出し、受信チャンネルリストメモリ１８に格納し、チャンネルリストを現在位置の放送エリアに対応するチャンネルリストに変更し、ステップＳ２３７に進む。
【０１５５】
そして、ステップ２１２において、同一系列の放送局名等をディスプレイ３１に表示し、同一系列の放送局に切り替えたことをユーザに知らせる。
【０１５６】
対応する物理チャンネルが設定されておらず、あるいは、物理チャンネルの選局が失敗すると、ステップＳ２０８に進む。ステップＳ２０８では、受信チャンネルリストメモリ１８に記憶されている全てのチャンネルリストについて、事業者系列番号の検索並びに物理チャンネル選局を行ったか否かが切り替え制御部１１１において判断され、行っていない（ＮＯ）と判断されたらステップＳ２０９に進み、行っている（ＹＥＳ）と判断されたらステップＳ２１０に移行する。
【０１５７】
ステップＳ２０９では、リスト更新部１１２が現在使用するものとして設定しているチャンネルリストを次ぎの優先順位のチャンネルリストに変更し、ステップＳ２０４に戻る。
【０１５８】
以後、選局が成功するまでは、上述の動作を繰り返す。そして、ステップＳ２０８において、選局が成功せず、受信チャンネルリストメモリ１８に格納したチャンネルリストをすべて確認したと判断すると、ステップＳ２３３に進む。
【０１５９】
ステップＳ２３３では、系列局のサーチが既に行ったか否かが切り替え制御部１１１において判断され、行っていない（ＮＯ）と判断されたらステップＳ２３４に進み、行っている（ＹＥＳ）と判断されたらステップＳ２３５に進む。
【０１６０】
ステップＳ２３４では、切り替え制御部１１１がＲＯＭ１６に格納されている１３チャンネルから６２チャンネルから事業所系列番号を検索し、同一の事業所系列番号を有する放送局でソートして、同一の事業所系列番号の放送局を抽出し、ステップＳ２３５に進む。同一の事業所系列番号だけを抽出することで、選局動作を行う物理チャンネルが系列局だけに限定され、選局動作を少なくできる。
【０１６１】
そして、ステップＳ２３５では、サーチした事業所系列番号に対応したすべての物理チャンネルの確認が済んだか否かを判断する。済んでいない（ＮＯ）の場合には、ステップＳ２３６へ進み、ステップＳ２３６で、抽出した物理チャンネルの中で選局動作がまだ行われていない物理チャンネルを選局し、ステップＳ２０５に戻り、前述の動作を繰り返す。
【０１６２】
そして、ステップＳ２３５において、サーチした事業所系列番号に対応したすべての物理チャンネルの確認が済んだと判断されても（ＹＥＳ）、選局が行えない場合には、同じ事業者系列番号がない場合には、選局結果表示には、チャンネルサーチを行うか、他のリモコン番号を選局する旨をディスプレイ３１に表示させる（ステップＳ２１２）。そして、異常受信回避処理を終了する。
【０１６３】
また、同一系列の放送局の選局が成功すると、選局結果で対応するリモコン番号をディスプレイ３１に表示させる（ステップＳ２１２）。そして、異常受信回避処理を終了する。
【０１６４】
上記のように構成することで、１３チャンネルから６２チャンネル迄の間で、事業者系列番号による検索を行い、事業者系列番号でソートし、ソートしたチャンネルで選局動作を行うので、チャンネルサーチに比べ選局にかかる時間を大幅に短縮できる。
【０１６５】
尚、上記した第４の実施形態においては、正常受信が行えなかった場合には、受信チャンネルリストメモリ１８に記憶されている全てのチャンネルリストについて、同一の事業所系列番号が有るか否か判断した後、事業者系列番号でソートする構成にしているが、正常受信が行えなかった場合には、直ちに、事業者系列番号でソートするように構成しても良い。このように構成した場合、受信チャンネルリストメモリ１８へ格納するために設定した移動経路と実際にユーザが移動する経路とが異なっている場合には、選局動作が速くなる場合があるので、必要に応じて、設定を選択できるように構成すればよい。
【０１６６】
また、この発明は、携帯端末等に搭載可能な放送受信装置に限らず、自動車等に搭載可能な放送受信装置にも適用できる。
【０１６７】
今回開示された実施の形態はすべての点で例示であって制限的なものではないと考えられるべきである。本発明の範囲は、上記した実施の形態の説明ではなくて特許請求の範囲によって示され、特許請求の範囲と均等の意味および範囲内でのすべての変更が含まれることが意図される。
【産業上の利用可能性】
【０１６８】
この発明のデジタル放送受信装置は、特にモバイルに用いて好適である。
【図面の簡単な説明】
【０１６９】
【図１】この発明の実施形態おけるデジタル放送受信装置の構成を示すブロック図である。
【図２】この発明の実施形態おけるデジタル放送受信装置の制御部の機能の構成を示すブロック図である。
【図３】各地域の広域放送局対応表の例を示す説明図である。
【図４】近畿地方のチャンネルリストの例を示す説明図である。
【図５】中国四国地方のチャンネルリストの例を示す説明図である。
【図６】事業者系列番号と系列を代表する放送事業者を示すリスト示す説明図である
【図７】移動体が現在地から目的地まで移動するときの各送信局のサービスエリアを示す説明図である。
【図８】現在地から目的地までの各放送エリア別のチャンネルリストの例を示す説明図である。
【図９】この発明の実施形態おけるデジタル放送受信装置において、複数のチャンネルリストを受信チャンネルリストメモリに設定する動作を示すフローチャートである。
【図１０】この発明の第１の実施形態おけるデジタル放送受信装置の選局動作を示すフローチャートである。
【図１１】この発明の第２の実施の形態に係る放送受信装置のテレビ再生中における異常受信回避処理の手順を示すフローチャートである。
【図１２】この発明の第３の実施形態おけるデジタル放送受信装置の構成を示すブロック図である。
【図１３】この発明の第３の実施の形態に係る放送受信装置のテレビ再生中における異常受信回避処理の手順を示すフローチャートである。
【図１４】この発明の第３の実施の形態に係る放送受信装置のテレビ再生中における異常受信回避処理の手順を示すフローチャートである。
【符号の説明】
【０１７０】
１  デジタル放送受信装置、１０  デジタル放送受信部、１１  ＣＰＵ、１１ａ  アンテナ  １２  チューナ部、１３  ＴＳ分離部、１４  映像デコーダ、１５  音声デコーダ、１６  ＲＯＭ、１７  ＲＡＭ、１８  受信チャンネルリストメモリ、３０  出力装置、３１  ディスプレイ、３２  スピーカ、３３  入力装置。
【図１】
0005144972.tif 000002
【図２】
0005144972.tif 000003
【図３】
0005144972.tif 000004
【図４】
0005144972.tif 000005
【図５】
0005144972.tif 000006
【図６】
0005144972.tif 000007
【図７】
0005144972.tif 000008
【図８】
0005144972.tif 000009
【図９】
0005144972.tif 000010
【図１０】
0005144972.tif 000011
【図１１】
0005144972.tif 000012
【図１２】
0005144972.tif 000013
【図１３】
0005144972.tif 000014
【図１４】
0005144972.tif 000015